(57)【要約】【課題】何時でも即座に当該装置をＡＥＤとして用い、救命につなげる。【解決手段】オペレーティング・システムの基にアプリケーションプログラムが実行されるコンピュータ部と、患者の胸部に貼着される電極パッド５３と、この電極パッド５３から患者のＥＣＧ信号を取り込み、心室頻拍や心室細動除去の電気ショック付与が必要か否かを分析する分析手段２４と、高電圧を発生する高圧発生部２０と、電気ショック付与を指示する電気ショックボタン５１と、この電気ショックボタン５１の操作があると、分析手段２４の分析結果に基づいて高圧発生部２０により発生された高電圧を前記電極パッド５３を介して患者に印加するＡＥＤ制御手段２５と、コンピュータ部、前記電極パッド５３、分析手段２４、電気ショックボタン５１及びＡＥＤ制御手段２４を収納する筐体１００とを具備する。【選択図】図１
2009233107.tif 000002
【特許請求の範囲】
【請求項１】
オペレーティング・システムの基にアプリケーションプログラムが実行されるコンピュータ部と、
患者の胸部に貼着される電極パッドと、
この電極パッドから患者のＥＣＧ信号を取り込み、心室頻拍又は心室細動除去の電気ショック付与が必要か否かを分析する分析手段と、
高電圧を発生する高圧発生部と、
電気ショック付与を指示する指示ボタンと、
この指示ボタンの操作があると、前記分析手段の分析結果に基づいて前記高圧発生部により発生された高電圧を前記電極パッドを介して患者に印加するＡＥＤ制御手段と、
前記コンピュータ部、前記電極パッド、前記分析手段、前記指示ボタン及び前記ＡＥＤ制御手段を収納する筐体と
を具備することを特徴とするＡＥＤ機能付携帯型コンピュータ装置。
【請求項２】
コンピュータ部には、電気ショック付与時のシミュレート動作を前記分析手段と前記ＡＥＤ制御手段とに実行させると共に、シミュレート動作によるログ情報及び少なくとも前記高圧発生部の電圧情報を収集するシミュレート手段と、
シミュレート手段が収集した情報をネットワークを介してメンテナンスセンタへ送信する送信制御手段と
を実現させるメンテナンスプログラムを具備することを特徴とする請求項１に記載のＡＥＤ機能付携帯型コンピュータ装置。
【請求項３】
メンテナンスプログラムは、前記分析手段と前記ＡＥＤ制御手段の動作履歴情報を収集して、ネットワークを介してメンテナンスセンタへ送信すると共に、前記分析手段と前記ＡＥＤ制御手段を実現する波形解析プログラムと制御プログラムのニューバーションプログラムをメンテナンスセンタからダウンロードし、プログラムのアップデートを行うことを特徴とする請求項２に記載のＡＥＤ機能付携帯型コンピュータ装置。
【請求項４】
電極パッドは、接続されたリード線を周縁部に巻き付けて保持する保持機構に付帯され、
筐体には、保持機構に保持されたリード線及び付帯された電極パッドを収納する電極パッド室を備えていることを特徴とする請求項１乃至３のいずれか１項に記載のＡＥＤ機能付携帯型コンピュータ装置。
【発明の詳細な説明】
【技術分野】
【０００１】
この発明は、ノートパソコンやＰＤＡ（パーソナル・ディジタル・アシスタント）などの携帯型パーソナルコンピュータ装置、場合によってはコンピュータ機能を有する携帯型ゲーム器や携帯電話機等に対して、ＡＥＤ（自動体外式除細動器）機能を付加したＡＥＤ機能付携帯型コンピュータ装置に関するものである。
【背景技術】
【０００２】
ＡＥＤに関する報告によれば、心原性心肺停止では発症から１分以内にＡＥＤで電気ショックを行なえば９０％以上の生存率があるとされており、その後は１分経過ごとに７〜１０％ずつ生存率が下がっていくと言われている。ＡＥＤは心肺停止目撃から３分以内に取って来ることできる場所にあることが理想的であり、このために市民が多く集まるような多くの場所にはＡＥＤが配置されるようになってきた。しかしながら、ＡＥＤ設置には初期費用と維持費用が必要であり、設置数が増加すればするほど要する費用は莫大となる。
【０００３】
市販ＡＥＤの内部はワンボード基板化されており、これが更なる小型化の流れにある。このようにポータブル化されたＡＥＤにおいては、ポートを減少させ、緊急時における第１応答者が混乱する可能性を低くする観点から提案がなされている（特許文献１参照）。この特許文献１に記載のものにあっては、治療信号を患者に供給するか、或いは記憶されたデータを補助素子に送信することを可能にするポートを備えている。
【０００４】
しかしながら、上記のポータブル化されたＡＥＤは単体のＡＥＤであり、一般の人が携帯しているというものではない。これに対し、市販ＡＥＤの内部がワンボード基板化されていることに鑑みるとき、ＡＥＤ基板をノートパソコンに内蔵できる可能性は十分にあると判断できる。本願発明者らは、各社が開発を考えているポケット型ＡＥＤの製品化が可能ならば、ノート型パソコンに実装されている機能や周辺機器を一部共有することでＡＥＤ機能搭載ノート型パソコンの実現は可能であると思料したものである。
【特許文献１】特開平１０−２８６７９号公報
【発明の開示】
【発明が解決しようとする課題】
【０００５】
それ故、本願発明の目的は、ノートパソコンをはじめ、各種の携帯型コンピュータ装置に対して、ＡＥＤ機能を付加させたＡＥＤ機能付携帯型コンピュータ装置を提供することであり、このＡＥＤ機能付携帯型コンピュータ装置を携帯している者等が、心肺停止目撃の場面において、何時でも即座に当該装置をＡＥＤとして用い、救命につながる可能性を大きく前進させることである。
【課題を解決するための手段】
【０００６】
本発明に係るＡＥＤ機能付携帯型コンピュータ装置は、オペレーティング・システムの基にアプリケーションプログラムが実行されるコンピュータ部と、患者の胸部に貼着される電極パッドと、この電極パッドから患者のＥＣＧ信号を取り込み、心室頻拍又は心室細動除去の電気ショック付与が必要か否かを分析する分析手段と、高電圧を発生する高圧発生部と、電気ショック付与を指示する指示ボタンと、この指示ボタンの操作があると、前記分析手段の分析結果に基づいて前記高圧発生部により発生された高電圧を前記電極パッドを介して患者に印加するＡＥＤ制御手段と、前記コンピュータ部、前記電極パッド、前記分析手段、前記指示ボタン及び前記ＡＥＤ制御手段を収納する筐体とを具備することを特徴とする。
【０００７】
本発明に係るＡＥＤ機能付携帯型コンピュータ装置では、コンピュータ部には、電気ショック付与時のシミュレート動作を前記分析手段と前記ＡＥＤ制御手段とに実行させると共に、シミュレート動作によるログ情報及び少なくとも前記高圧発生部の電圧情報を収集するシミュレート手段と、シミュレート手段が収集した情報をネットワークを介してメンテナンスセンタへ送信する送信制御手段とを実現させるメンテナンスプログラムを具備することを特徴とする。
【０００８】
本発明に係るＡＥＤ機能付携帯型コンピュータ装置では、メンテナンスプログラムは、前記分析手段と前記ＡＥＤ制御手段の動作履歴情報を収集して、ネットワークを介してメンテナンスセンタへ送信すると共に、前記分析手段と前記ＡＥＤ制御手段を実現する波形解析プログラムと制御プログラムのニューバーションプログラムをメンテナンスセンタからダウンロードし、プログラムのアップデートを行うことを特徴とする。
【０００９】
本発明に係るＡＥＤ機能付携帯型コンピュータ装置では、電極パッドは、接続されたリード線を周縁部に巻き付けて保持する保持機構に付帯され、筐体には、保持機構に保持されたリード線及び付帯された電極パッドを収納する電極パッド室を備えていることを特徴とする。
【発明の効果】
【００１０】
本発明に係るＡＥＤ機能付携帯型コンピュータ装置は、コンピュータ部に加えて、患者の胸部に貼着される電極パッドと、この電極パッドから患者のＥＣＧ信号を取り込み、心室頻拍又は心室細動除去の電気ショック付与が必要か否かを分析する分析手段と、高電圧を発生する高圧発生部と、電気ショック付与を指示する指示ボタンと、この指示ボタンの操作があると、前記分析手段の分析結果に基づいて前記高圧発生部により発生された高電圧を前記電極パッドを介して患者に印加するＡＥＤ制御手段とを備えているので、携帯型コンピュータとして使用可能であると共に、携帯していることによって、心肺停止目撃の場面において、何時でも即座に当該装置をＡＥＤとして用い、救命につなげることが可能である。
【００１１】
本発明に係るＡＥＤ機能付携帯型コンピュータ装置は、メンテナンスプログラムを有するので、電気ショック付与時のシミュレート動作を前記分析手段と前記ＡＥＤ制御手段とに実行させると共に、シミュレート動作のログ情報及び少なくとも前記高圧発生部の電圧情報を収集し、収集した情報をネットワークを介してメンテナンスセンタへ送信することが可能であり、ＡＥＤ機能の保守性に優れるものである。
【００１２】
本発明に係るＡＥＤ機能付携帯型コンピュータ装置では、メンテナンスプログラムが、前記分析手段と前記ＡＥＤ制御手段の動作履歴情報を収集して、ネットワークを介してメンテナンスセンタへ送信することにより履歴を自動的に送信することができると共に、前記分析手段と前記ＡＥＤ制御手段を実現する波形解析プログラムと制御プログラムのニューバーションプログラムをメンテナンスセンタからダウンロードし、プログラムのアップデートが行われるので、ＡＥＤ機能の保守性に優れるものである。
【００１３】
本発明に係るＡＥＤ機能付携帯型コンピュータ装置では、電極パッドが、接続されたリード線を周縁部に巻き付けて保持する保持機構に付帯され、筐体には、保持機構に保持されたリード線及び付帯された電極パッドを収納する電極パッド室を備えているので、ＡＥＤ用の電極パッド及びリード線をコンパクトに収納して、携帯型コンピュータ装置として違和感なく使用及び携帯できるものである。
【発明を実施するための最良の形態】
【００１４】
以下、添付図面を参照して本発明に係るＡＥＤ機能付携帯型コンピュータ装置の実施例を説明する。各図において同一の構成要素には、同一の符号を付して重複する説明を省略する。図１に、本発明の実施例に係るＡＥＤ機能付携帯型コンピュータ装置の構成ブロック図を示す。ＡＥＤ機能付携帯型コンピュータ装置は、図２に示すようなノート型の携帯可能なパーソナルコンピュータであり、図１に示すように、パーソナルコンピュータ側の基板１０と、ＡＥＤ側の基板３０とを備えている。
【００１５】
本装置は、ＬＣＤ（液晶ディスプレイ）などの表示器４１、キーボード４２、スピーカ４３、バッテリ４４などを備える他に、ＡＥＤとして機能するために、電源スイッチ５１、心室頻拍又は心室細動除去の電気ショック付与を指示する指示ボタンである電気ショックボタン５２、患者の胸部に貼着するための一対の電極パッド５３を備えている。
【００１６】
なお、キーボード４２にはパーソナルコンピュータとして起動するための電源スイッチが含まれており、入力手段としてマウスなどのポインティングデバイスを備えていても良い。
【００１７】
パーソナルコンピュータ側の基板１０には、ＣＰＵ１１と、ＣＰＵ１１が用いるＯＳ（オペレーティング・システム）とプログラムやデータが記憶された記憶装置１２と、インターネット通信を行うための通信網５０と接続されて通信を行うためのＬＡＮカード１３と、表示器４１を制御する表示コントローラ１４と、キーボード４２からの入力データを取り込むキーボードコントローラ１５と、スピーカ４３へ音声信号を送出する音声インタフェース１６とが備えられている。ＣＰＵ１１と、ＯＳ（オペレーティング・システム）とプログラムやデータが記憶された記憶装置１２とは、オペレーティング・システムの基にアプリケーションプログラムが実行されるコンピュータ部を構成している。
【００１８】
ＣＰＵ１１は、記憶装置１２に記憶されたＯＳの基にアプリケーションプログラムを実行して各種の処理を行うものであり、各種のアプリケーションプログラムに応じて、ワープロ機能や表計算機能を実現する他、ここでは、特にインターネット通信を実行する通信プログラム１７及び、後に説明する機能を有するメンテナンスプログラム１８を備えるものとする。
【００１９】
ＡＥＤ側の基板３０には、ＣＰＵ３１と、ＣＰＵ３１が用いるＯＳとプログラムやデータが記憶された記憶装置３２と、キーボード４２からの入力データを取り込むキーボードコントローラ３３と、スピーカ４３へ音声信号を送出する音声インタフェース３４と、電源スイッチ５１の操作データを取り込むポート３５及び電気ショックボタンの操作情報を取り込むポート３６、電極パッド５３から到来するＥＣＧ信号を取り込むと共に切替器２３へ切替信号を送るためのポート３７、高圧発生部２０の出力をモニタするためのポート３７Ａ、高圧発生を高圧発生部２０へ指示する信号を出力するポート３８が備えられている。ポート３８は、ＡＥＤにおける電気ショック付与の際の高電圧を発生する高圧発生部２０に接続されている。
【００２０】
ＣＰＵ３１は、記憶装置３２に記憶されたＯＳの基にアプリケーションプログラムを実行してＡＥＤとしての処理を行うものであり、記憶装置３２には分析手段２４、ＡＥＤ制御手段２５として機能するプログラムが記憶されている。分析手段２４は、電極パッド５３から患者のＥＣＧ信号を取り込み、心室頻拍又は心室細動除去の電気ショック付与が必要か否かを分析する波形解析プログラムにより構成される。ＡＥＤ制御手段２５は、電気ショックボタン５２の操作があると、分析手段２４の分析結果に基づいて高圧発生部２０により発生された高電圧を電極パッド５３を介して患者に印加する制御プログラムである。ＡＥＤ制御手段２５は、装置の使用を音声案内する音声案内情報を有し、起動されると音声インタフェース３４へ音声案内情報を送出して音声信号としてスピーカ４３へ伝える。
【００２１】
ＣＰＵ１１とＣＰＵ３１とは、コネクタ２１、２２により通信可能である。前述のメンテナンスプログラム１８は、電気ショック付与時のシミュレート動作を分析手段２４とＡＥＤ制御手段２５とに実行させると共に、シミュレート動作によるログ情報及び少なくとも高圧発生部２０の電圧情報を収集するシミュレート手段と、通電によって電極パッドの通電性やインピーダンスを収集する手段と、シミュレート手段が収集した情報をネットワークである通信網５０を介してメンテナンスセンタ（図示せず）のサーバへ送信する送信制御手段とを実現させるプログラムである。
【００２２】
バッテリ４４には電源回路１９が接続されおり、電源回路１９は、バッテリ４４の電力から所定電圧を得てパーソナルコンピュータ側の基板１０の各部に電源供給を行う。また、バッテリ４４には電源回路３９が接続されおり、電源回路３９は、バッテリ４４の電力から所定電圧を得てＡＥＤ側の基板３０の各部に電源供給を行う。また、バッテリ４４の電力は高圧発生部２０に与えられており、ＡＥＤにおける電気ショック付与の際の高電圧を発生に用いられる。高圧発生部２０と電極パッド５３との間には、リレーなどの切替器２３が設けられ、ポート３７からＥＣＧ信号を取り込む際にはポート３７と電極パッド５３との間が接続され、電気ショック付与の際には高圧発生部２０と電極パッド５３との間が接続されるように、切り替えがＣＰＵ３１の制御により行われる。
【００２３】
図１の筐体１００は、ＣＰＵ１１とＯＳ（オペレーティング・システム）とプログラムやデータが記憶された記憶装置１２とにより構成されるコンピュータ部、電極パッド５３、高圧発生部２０、電気ショックボタン５２、分析手段２４、ＡＥＤ制御手段２５を収納している。
【００２４】
筐体１００は、図２Ａに示されるようにキーボード側筐体１００Ａと、表示器側筐体１００Ｂとが結合されたもので、キーボード側筐体１００Ａの例えば右端表面部における結合部付近には、蓋６１が設けられており、蓋６１を開けた内部屋６７には、電源スイッチ５１と電気ショックボタン５２が配置されている。従って、通常のパーソナルコンピュータとして用いる場合には、蓋６１が閉じられ、特にＡＥＤを意識せずに使用可能となっている。電源スイッチ５１に代えて蓋６１に近接スイッチを設けるなどして、蓋６１を開くと電源がオンするようにしても良い。
【００２５】
更に、キーボード側筐体１００Ａの例えば右端側部における手前側部分には、電極パッド５３を収納する電極パッド室６２が備えられている。電極パッド５３にはリード線６３が接続されており、リード線６３は保持機構であるリール６４の周縁部に巻き付けられる。リール６４は、図２Ｂに示すようにボビン状に中央部６５が窪んでおり、この中央部６５にリード線６３が巻き付けられる。リール６４の両側部はフランジ状に平坦部６６であり、この平坦部６６に電極パッド５３のゲル側が貼着されて付帯される。リード線６３が巻き付けられ電極パッド５３のゲル側が貼着されて付帯されたリール６４が電極パッド室６２に収納される。電極パッド５３は、ミシン目５３Ａによって切り離し可能とされ、使用時には二枚に分けて使用する。電極パッド５３には、切り取って使用することや、患者の胸において貼着する位置等の使用説明が印刷されていると好適である。
【００２６】
以上の通りに構成されたＡＥＤ機能付携帯型コンピュータ装置は、次のようにＡＥＤとして用いられる。蓋６１を開いて電源スイッチ５１を操作し、ＡＥＤ機能をオンとする。これにより、電源回路３９から各部への電力供給が開始される。
【００２７】
ＣＰＵ３１は、ＡＥＤ制御手段２５として動作を開始し、図３のフローチャートに示すように、音声インタフェース３４へ音声案内情報を送出して音声信号としてスピーカ４３へ与えて音声案内を開始し（Ｓ１１）、切替器２３を制御して電極パッド５３からＥＣＧ信号がポート３７へ到来するように制御を行う（Ｓ１２）。
【００２８】
次に、患者の発見者等は、電極パッド室６２からリール６４を取り出しリード線６３を延ばし、更に、電極パッド５３をリール６４から剥がし、ミシン目５３Ａによって切り離して二枚にし、それぞれを音声案内及び電極パッド５３に印刷された使用説明に従って患者の胸における所要位置に貼着する。
【００２９】
ＣＰＵ３１は、分析手段２４としてポート３７にＥＣＧ信号の到来があったかを監視しており（Ｓ１３）、到来した場合に心室頻拍又は心室細動状態であるかの検出を行い（Ｓ１４）、電気ショック付与が必要か否かを分析する（Ｓ１５）。心室頻拍又は心室細動状態の検出は、公知の手法が用いられる。
【００３０】
ステップＳ１５における検出の結果、電気ショック付与が不必要であると判断されると、電気ショック付与が不必要の旨を音声インタフェース３４へ音声案内情報として送出して音声信号としてスピーカ４３へ与えて音声案内し（Ｓ１６）、電源オフを待ち（Ｓ２２）、電源がオフとされるとエンドとなる。
【００３１】
上記ステップＳ１５において電気ショック付与が必要であると判断されると、ポート３８を介して高圧発生部２０へ高圧発生指示を与えて（Ｓ１７）、ポート３７Ａを介して電圧をモニタして所定電圧となるか検出し（Ｓ１８）、所定電圧を検出すると電気ショックボタン５２の操作が可能となった旨を音声インタフェース３４へ音声案内情報として送出して音声信号としてスピーカ４３へ与えて音声案内し（Ｓ１９）、電気ショックボタン５２の操作を待つ（Ｓ２０）。
【００３２】
ステップＳ２０において電気ショックボタン５２の操作が検出されると、ポート３７から切替器２３へ制御信号を送出し、電極パッド５３へ高電圧を印加する（Ｓ２１）。このステップＳ２１に続いて電源オフとされたかを検出し（Ｓ２２）、オフとされなければタイマーで一定時間の待機を行った後（Ｓ２３）で、切替器２３を制御して電極パッド５３からＥＣＧ信号がポート３７へ到来するように制御を行い（Ｓ１２）、ステップＳ１３に進んで処理を続ける。上記の記録された波形と各動作の履歴情報を時刻情報と共に蓄積しておく処理も行われ、この履歴情報は後に説明するようにメンテナンスプログラム１８によってメンテナンスセンタのサーバへ送られる。
【００３３】
記憶装置１２に設けられたメンテナンスプログラム１８は、所定時（例えば、一日の午前０時）に起動され、図４のフローチャートのようにメンテナンスを行う。起動され、スタートとなると、電源スイッチ５１の操作と同様の情報をコネクタ２１、２２から与える（Ｓ３１）。これにより、ＣＰＵ３１は、図３のフローチャート対応の処理をスタートさせる。
【００３４】
ＣＰＵ１１は、ステップＳ３１に続いて音声情報を音声インタフェース３４からスピーカへ出力し（Ｓ３２）、ポート３７からＥＣＧ信号の疑似信号を与えて（Ｓ３３）、分析手段２４の処理に関するログや判断結果情報を収集して保持する（Ｓ３４）。例えば、心室頻拍や心室細動のときと同じＥＣＧ信号の疑似信号を与えてステップＳ３４を実行し、更にＡＥＤ制御手段２５により行われる高圧発生部２０の出力電圧情報や切替器２３に対する制御信号等の情報を収集して保持し（Ｓ３５）、電源オフとすると共に通信プログラム１７を起動し、予め設定されたアドレスを用いてメンテナンスセンタのサーバに接続を行わせて、上記で収集した各種の情報をメンテナンスセンタのサーバへ送信する（Ｓ３６）。勿論、心室頻拍や心室細動時のＥＣＧ信号の疑似信号ではなく、正常なときのＥＣＧ信号の疑似信号を与えて、これに対応する処理に関する情報を収集して、メンテナンスセンタのサーバへ送信しても良い。このような処理により、ＡＥＤとして適切に動作するかをメンテナンスセンタにおいて監視できる。
【００３５】
また、メンテナンスプログラム１８は、分析手段２４とＡＥＤ制御手段２５の動作履歴情報（実際にＡＥＤとして使用された際の情報）を、コネクタ２１、２２を通じて記憶装置３２から取得して、通信網５０を介してメンテナンスセンタへ送信する。
【００３６】
更に、メンテナンスプログラム１８は、予め定められた期間毎（例えば一か月に一度）メンテナンスセンタへアクセスして、分析手段２４とＡＥＤ制御手段２５を実現する波形解析プログラムと制御プログラムのバーションアップ情報を得て、バージョンアップがなされているときには、ダウンロードする。そして、記憶装置３２にインストールすることによりプログラムのアップデートを行う。
【００３７】
なお、上記の実施例の構成は一例に過ぎず、本発明はその趣旨にそって適宜変更することができる。例えば、分析手段２４、ＡＥＤ制御手段２５をプログラムにより構成したが、分析手段２４の全部または一部をシステムＬＳＩ（マイクロプロセッサと各種チップを搭載）などのハードウエア構成により実現することができ、また、ＡＥＤ制御手段２５の一部をシステムＬＳＩなどのハードウエア構成により実現することができる。また、メンテナンスプログラム１８を記憶装置１２に設けることに代えて、メンテナンスプログラム１８を記憶装置３２に設けるようにしても良い。また、音声案内のみでなく、表示器４１へＡＥＤの使用案内に係る表示を行うようにしても良い。さらにキーボード４２に電源スイッチ５１や電気ショックボタン５２を組み込んだり、キーボード４２のキーの組合せ入力でＡＥＤ基板３１に指示を送ることも考えられる。
【産業上の利用可能性】
【００３８】
ＡＥＤが設置されていないような場所において心肺停止が目撃された場合、ＡＥＤ機能搭載ノートパソコン（ＡＥＤ機能付携帯型コンピュータ装置）の利用者が近くに居れば救命につながる可能性が出てくる。官庁・企業・空港・駅等で使用される公用ノートパソコンにＡＥＤ機能が搭載されていれば、突然の目撃される心肺停止の蘇生率は飛躍的に向上するものと考えられる。
【００３９】
公用ノートパソコンのみならず、個人のノートパソコンまでもＡＥＤ機能の普及が進めば、更なる救命も可能となる。企業・官庁・公共施設等に設置されるノートパソコンへの導入を第一段階とし、ＡＥＤ機能搭載ノートパソコンが一般にも周知されるようになった時点で個人のノートパソコンへの導入を次の普及段階とすることが期待できる。
【図面の簡単な説明】
【００４０】
【図１】本発明に係るＡＥＤ機能付携帯型コンピュータ装置における一実施例の構成を示すブロック図。
【図２Ａ】本発明に係るＡＥＤ機能付携帯型コンピュータ装置における一実施例の要部構成を示す斜視図。
【図２Ｂ】本発明に係るＡＥＤ機能付携帯型コンピュータ装置における電極パッドに関係する構成を示す一部断面図。
【図３】本発明に係るＡＥＤ機能付携帯型コンピュータ装置における一実施例のＡＥＤとしての動作を説明するためのフローチャート。
【図４】本発明に係るＡＥＤ機能付携帯型コンピュータ装置における一実施例のＡＥＤに備えられたメンテナンスプログラムによる動作を説明するためのフローチャート。
【符号の説明】
【００４１】
１０、３０  基板
１２  記憶装置
１７  通信プログラム
１８  メンテナンスプログラム
１９、３９  電源回路
２０  高圧発生部
２４  分析手段
２５  制御手段
４４  バッテリ
５１  電源スイッチ
５２  電気ショックボタン
５３  電極パッド
６２  電極パッド室
６３  リード線
６４  リール
１００  筐体
【図１】
2009233107.tif 000003
【図３】
2009233107.tif 000004
【図４】
2009233107.tif 000005
【図２Ａ】
2009233107.tif 000006
【図２Ｂ】
2009233107.tif 000007